(57)【要約】【課題】簡易な装置構成で、かつデータ処理の装置負荷を小さくする。【解決手段】右眼用画像データＲＩ（ｎ）を１フレーム期間遅延させて遅延右眼用画像データＲＩ（ｎ−１）として出力する遅延部１０と、右眼用画像データＲＩ（ｎ）と左眼用画像データＬＩ（ｎ）との差に基づいて右眼用画像強調データＲＥ（ｎ）を出力するデータ強調部２０ａと、左眼用画像データＬＩ（ｎ）と遅延右眼用画像データＲＩ（ｎ−１）との差に基づいて左眼用画像強調データＬＥ（ｎ）を出力するデータ強調部２０ｂと、右眼用画像強調データＲＥ（ｎ）と左眼用画像強調データＬＥ（ｎ）とを入力してフレームメモリ３１に保持し、所定の周波数に基づいて時分割して出力する時分割出力部３０とを有する。【選択図】図１
2011205186.tif 000002
【特許請求の範囲】
【請求項１】
立体映像を表示するための右眼用画像データまたは左眼用画像データのうち一方の画像データを１フレーム期間遅延させて遅延データとして出力する遅延部と、
前記右眼用画像データと、前記左眼用画像データとの差に基づいて、前記一方の画像データを第１の強調係数により強調して第１の強調データを出力する第１のデータ強調部と、
前記右眼用画像データまたは前記左眼用画像データのうち他方の画像データと、前記遅延部によって１フレーム期間遅延された前記遅延データとの差に基づいて、前記他方の画像データを第２の強調係数により強調して第２の強調データとして出力する第２のデータ強調部と、
前記第１の強調データと、前記第２の強調データとを記憶して、前記第１の強調データと、前記第２の強調データを所定のフレームレートで時分割して出力する時分割出力部と、
を有することを特徴とする立体画像表示装置。
【請求項２】
立体映像を表示するための右眼用画像データまたは左眼用画像データのうち一方の画像データを１フレーム期間遅延させて遅延データとして出力する遅延部と、
前記右眼用画像データと、前記左眼用画像データとの差に基づいて、前記一方の画像データを第１の強調係数により強調して第１の強調データを出力する第１のデータ強調部と、
前記右眼用画像データまたは前記左眼用画像データのうち他方の画像データと、前記遅延部によって１フレーム期間遅延された前記遅延データとの差に基づいて、前記他方の画像データを第２の強調係数により強調して第２の強調データとして出力する第２のデータ強調部と、
前記第１の強調データと、前記一方の画像データと、前記第２の強調データと、前記他方の画像データとを記憶、前記第１の強調データと、前記一方の画像データと、前記第２の強調データと、前記他方の画像データの順序で、所定のフレームレートにより時分割して出力する時分割出力部と、
を有することを特徴とする立体画像表示装置。
【請求項３】
立体映像を表示するための右眼用画像データまたは左眼用画像データのうち一方の画像データを１フレーム期間遅延させて遅延データとして出力する遅延部と、
前記右眼用画像データと、前記左眼用画像データとの差に基づいて、前記一方の画像データを第１の強調係数により強調して第１の強調データを出力する第１のデータ強調部と、
前記右眼用画像データまたは前記左眼用画像データのうち他方の画像データと、前記遅延部によって１フレーム期間遅延された前記遅延データとの差に基づいて、前記他方の画像データを第２の強調係数により強調して第２の強調データとして出力する第２のデータ強調部と、
前記一方の画像データと、前記他方の画像データとの差に基づいて、前記一方の画像データを前記第１の強調係数より強調ゲインの小さい第２の強調係数により強調して第３の強調データとして出力する第３のデータ強調部と、
前記他方の画像データと、前記遅延データとの差に基づいて、前記他方の画像データを前記第２の強調係数より強調ゲインの小さい第４の強調係数により強調して第４の強調データとして出力する第４のデータ強調部と、
前記第１の強調データと、前記第３の強調データと、前記第２の強調データと、前記第４の強調データとを記憶し、前記第１の強調データと、前記第３の強調データと、前記第２の強調データと、前記第４の強調データの順序で、所定のフレームレートで時分割して出力する時分割出力部と、
を有することを特徴とする立体画像表示装置。
【請求項４】
前記左眼用画像データおよび前記右眼用画像データのフレームレートが第１の所定値以下の場合に、第２の所定値以上のフレームレートに変換して前記遅延部、前記第１および第２のデータ強調部に出力するフレームレート変換部を、
更に有することを特徴とする請求項１または２に記載の立体画像表示装置。
【請求項５】
右眼用画像データまたは左眼用画像データのうち一方の画像データを１フレーム期間遅延させて遅延データとして出力する遅延部と、
前記右眼用画像データと、前記左眼用画像データとの差に基づいて、前記一方の画像データを第１の強調係数により強調して第１の強調データを出力する第１のデータ強調部と、
前記右眼用画像データまたは前記左眼用画像データのうち他方の入力データと、前記遅延部によって１フレーム期間遅延された前記遅延データとの差に基づいて、前記他方の入力データを第２の強調係数により強調して第２の強調データとして出力する第２のデータ強調部と、
前記一方の画像データと、前記他方の画像データとの差に基づいて、前記一方の画像データと前記他方の画像データとのうち同一フレームに基づいて時系列順で先に表示される画像データを第５の強調係数により強調して第５の強調データとして出力する第５のデータ強調部と、
前記第１の強調データと、前記第２の強調データと、前記第５の強調データとを記憶し、前記第１の強調データと前記第２の強調データのうち時系列順で先に表示される一方の強調データ、他方の強調データ、前記第５の強調データ、前記他方の強調データの順序で、時分割して出力することにより、所定の周波数以上に変換して出力する時分割出力部と、
を有することを特徴とする立体画像表示装置。
【発明の詳細な説明】
【技術分野】
【０００１】
本発明は、左眼用および右眼用の画像データを時分割で出力して立体表示を行う立体画像表示装置に関する。
【背景技術】
【０００２】
一般的に、液晶等の表示素子の応答遅れによるゴースト（クロストーク）の改善を目的とした立体画像表示装置が知られている。
【０００３】
例えば、最新フィールドの入力画像データと直前に表示されていたフィールドの画像データの階調値とを比較し、最新フィールドの画像表示用の階調電圧として、直前のフィールドから次に表示すべき最新フィールドへの階調変化を強調した階調電圧を作成して液晶表示パネルに与える。そして、階調変化に対する液晶の応答速度を加速し、応答の遅れを補償するための階調値の変換テーブルを所定のメモリ内に予め準備しておき、フレームメモリの後段に設けた演算器により、現在の液晶の表示状態から次に表示すべき階調に変化させるために最適な階調電圧を作成するようにした先行技術が公開されている（例えば、特許文献１参照）。
【０００４】
なお、立体画像表示装置に関する背景技術ではないが、液晶表示装置における応答速度の遅延に基づく残像を防止するため、映像データを時間軸方向に強調するフィルタ（時間軸強調回路）を用いた先行技術も公開されている（例えば、特許文献２参照。）。
【先行技術文献】
【特許文献】
【０００５】
【特許文献１】特開２００６−１５７７７５号公報
【特許文献２】特開２００６−３３７４４８号公報
【発明の概要】
【発明が解決しようとする課題】
【０００６】
しかしながら、前述の特許文献１の立体画像表示装置では、観察者の左眼で視認させるための左眼用画像データと観察者の右眼で視認させるための右眼用画像データをフレーム単位で記憶するフレームメモリの後段に設けた演算器により、左眼用画像データと右眼用画像データの最適な階調電圧を作成している。そのため、階調電圧を作成する際、左眼用画像データと右眼用画像データの両方を演算することになり、メモリ容量やメモリの入出力端子数が多くなる。これにより、メモリとの間のデータ転送のスループットが増加し、メモリ数や配線面積が増えるので、装置が複雑化／大型化し、製造コストの増加を招くという課題があった。
【０００７】
また、左眼用画像データと右眼用画像データとを交互に切り替えて表示する場合、画像データのフレームレートが高くなっているので、高スループットとなるだけでなく、演算器の動作速度が速くなり、装置負荷が大きくなるという課題もあった。
【０００８】
本発明は、上記課題に鑑みてなされたものであり、その目的は、簡易な装置構成で、かつデータ処理の装置負荷を小さくすることができる立体画像表示装置を提供することを目的とする。
【課題を解決するための手段】
【０００９】
上記目的を達成するため、本発明に係る立体画像表示装置の第１の特徴は、立体映像を表示するための右眼用画像データまたは左眼用画像データのうち一方の画像データを１フレーム期間遅延させて遅延データとして出力する遅延部と、前記右眼用画像データと、前記左眼用画像データとの差に基づいて、前記一方の画像データを第１の強調係数により強調して第１の強調データを出力する第１のデータ強調部と、前記右眼用画像データまたは前記左眼用画像データのうち他方の画像データと、前記遅延部によって１フレーム期間遅延された前記遅延データとの差に基づいて、前記他方の画像データを第２の強調係数により強調して第２の強調データとして出力する第２のデータ強調部と、前記第１の強調データと、前記第２の強調データとを記憶して、前記第１の強調データと、前記第２の強調データを所定のフレームレートで時分割して出力する時分割出力部と、を有することにある。
【００１０】
本発明に係る立体画像表示装置の第２の特徴は、立体映像を表示するための右眼用画像データまたは左眼用画像データのうち一方の画像データを１フレーム期間遅延させて遅延データとして出力する遅延部と、前記右眼用画像データと、前記左眼用画像データとの差に基づいて、前記一方の画像データを第１の強調係数により強調して第１の強調データを出力する第１のデータ強調部と、前記右眼用画像データまたは前記左眼用画像データのうち他方の画像データと、前記遅延部によって１フレーム期間遅延された前記遅延データとの差に基づいて、前記他方の画像データを第２の強調係数により強調して第２の強調データとして出力する第２のデータ強調部と、前記第１の強調データと、前記一方の画像データと、前記第２の強調データと、前記他方の画像データとを記憶、前記第１の強調データと、前記一方の画像データと、前記第２の強調データと、前記他方の画像データの順序で、所定のフレームレートにより時分割して出力する時分割出力部とを有することにある。
【００１１】
本発明に係る立体画像表示装置の第３の特徴は、立体映像を表示するための右眼用画像データまたは左眼用画像データのうち一方の画像データを１フレーム期間遅延させて遅延データとして出力する遅延部と、前記右眼用画像データと、前記左眼用画像データとの差に基づいて、前記一方の画像データを第１の強調係数により強調して第１の強調データを出力する第１のデータ強調部と、前記右眼用画像データまたは前記左眼用画像データのうち他方の画像データと、前記遅延部によって１フレーム期間遅延された前記遅延データとの差に基づいて、前記他方の画像データを第２の強調係数により強調して第２の強調データとして出力する第２のデータ強調部と、前記一方の画像データと、前記他方の画像データとの差に基づいて、前記一方の画像データを前記第１の強調係数より強調ゲインの小さい第２の強調係数により強調して第３の強調データとして出力する第３のデータ強調部と、前記他方の画像データと、前記遅延データとの差に基づいて、前記他方の画像データを前記第２の強調係数より強調ゲインの小さい第４の強調係数により強調して第４の強調データとして出力する第４のデータ強調部と、前記第１の強調データと、前記第３の強調データと、前記第２の強調データと、前記第４の強調データとを記憶し、前記第１の強調データと、前記第３の強調データと、前記第２の強調データと、前記第４の強調データの順序で、所定のフレームレートで時分割して出力する時分割出力部と、を有することにある。
【００１２】
本発明に係る立体画像表示装置の第４の特徴は、前記左眼用画像データおよび前記右眼用画像データのフレームレートが第１の所定値以下の場合に、第２の所定値以上のフレームレートに変換して前記遅延部、前記第１および第２のデータ強調部に出力するフレームレート変換部を、更に有することにある。
【００１３】
本発明に係る立体画像表示装置の第５の特徴は、右眼用画像データまたは左眼用画像データのうち一方の画像データを１フレーム期間遅延させて遅延データとして出力する遅延部と、前記右眼用画像データと、前記左眼用画像データとの差に基づいて、前記一方の画像データを第１の強調係数により強調して第１の強調データを出力する第１のデータ強調部と、前記右眼用画像データまたは前記左眼用画像データのうち他方の入力データと、前記遅延部によって１フレーム期間遅延された前記遅延データとの差に基づいて、前記他方の入力データを第２の強調係数により強調して第２の強調データとして出力する第２のデータ強調部と、前記一方の画像データと、前記他方の画像データとの差に基づいて、前記一方の画像データと前記他方の画像データとのうち同一フレームに基づいて時系列順で先に表示される画像データを第５の強調係数により強調して第５の強調データとして出力する第５のデータ強調部と、前記第１の強調データと、前記第２の強調データと、前記第５の強調データとを記憶し、前記第１の強調データと前記第２の強調データのうち時系列順で先に表示される一方の強調データ、他方の強調データ、前記第５の強調データ、前記他方の強調データの順序で、時分割して出力することにより、所定の周波数以上に変換して出力する時分割出力部と、を有することにある。
【発明の効果】
【００１４】
本発明の立体画像表示装置によれば、簡易な装置構成で、かつデータ処理の装置負荷を小さくすることができる。
【図面の簡単な説明】
【００１５】
【図１】本発明の実施例１に係る立体画像表示装置の構成例を示すブロック図である。
【図２】本発明の実施例１に係る立体画像表示装置に備えられたデータ強調部の具体的な構成例を示す図である。
【図３】左眼用画像データと右眼用画像データを時分割処理後に時間軸強調処理を行う従来例によるメモリのスループットを示した図である。
【図４】本発明の実施例１に係る立体画像表示装置におけるメモリのスループットを示した図である。
【図５】本発明の実施例２に係る立体画像表示装置の構成例を示すブロック図である。
【図６】本発明の実施例２に係る立体画像表示装置が備える時分割出力部による応答特性を説明した図である。
【図７】左眼用画像データと右眼用画像データを時分割処理後に時間軸強調処理を行う従来例によるメモリのスループットを示した図である。
【図８】本発明の実施例２に係る立体画像表示装置によるメモリのスループットを示す図である。
【図９】本発明の実施例３に係る立体画像表示装置の構成例を示すブロック図である。
【図１０】本発明の実施例３に係る立体画像表示装置が備える時分割出力部による応答特性を説明した図である。
【図１１】本発明の実施例４に係る立体画像表示装置の構成例を示すブロック図である。
【図１２】本発明の実施例５に係る立体画像表示装置の構成例を示すブロック図である。
【図１３】本発明の実施例５に係る立体画像表示装置が備える時分割出力部７０における時分割処理後の状態を示す図である。
【図１４】左眼用画像データと右眼用画像データを時分割処理後に時間軸強調処理を行う従来例によるメモリのスループットを示した図である。
【図１５】本発明の実施例５に係る立体画像表示装置による時分割出力部にてフレームメモリからプルダウン処理しながら時分割で読み出す場合のメモリのスループットを示した図である。
【発明を実施するための形態】
【００１６】
以下、本発明に係る立体画像表示装置の実施例１〜５について説明する。
【００１７】
＜実施例１＞
本発明の実施例１では、６０（フレーム／秒）で入力される左眼用画像データと右眼用画像データとに基づいて、最終的な時系列出力順が左眼用画像、右眼用画像の順で時分割処理をして１２０（フレーム／秒）の立体画像として出力する立体画像表示装置を例に挙げて説明する。なお、左眼用画像データは観察者の左眼で視認させるための画像データであり、右眼用画像データは観察者の右眼で視認させるための画像データである。
【００１８】
図１は、本発明の実施例１に係る立体画像表示装置１の構成例を示すブロック図である。
【００１９】
図１に示すように、本発明の実施例１に係る立体画像表示装置１は、遅延部１０と、データ強調部２０ａと、データ強調部２０ｂと、時分割出力部３０と、を有する。
【００２０】
遅延部１０は、注目フレームｎの右眼用画像データＲＩ（ｎ）を１フレーム期間遅延させて、遅延右眼用画像データＲＩ（ｎ−１）として出力するものである。なお、ここでは、注目フレームのフレーム番号を、ｎ（ｎは自然数。）とし、注目フレームから１フレーム期間遅延されたフレーム番号を、（ｎ−１）で表すものとする。
【００２１】
データ強調部２０ａは、注目フレームｎの右眼用画像データＲＩ（ｎ）と、注目フレームｎの左眼用画像データＬＩ（ｎ）との差に基づいて右眼用画像データＲＩ（ｎ）を強調して、右眼用画像強調データＲＥ（ｎ）として出力するものである。
【００２２】
データ強調部２０ｂは、遅延部１０によって１フレーム期間遅延された遅延右眼用画像データＲＩ（ｎ−１）と、注目フレームの左眼用画像データＬＩ（ｎ）との差に基づいて左眼用画像データＬＩ（ｎ）を強調して、左眼用画像強調データＬＥ（ｎ）として出力するものである。
【００２３】
時分割出力部３０は、データ強調部２０ａから強調されて出力された右眼用画像強調データＲＥ（ｎ）と、データ強調部２０ｂから強調されて出力された左眼用画像強調データＬＥ（ｎ）とを入力して保持し、所定の周波数、すなわち右眼用画像データＲＩ（ｎ）と左眼用画像データＬＩ（ｎ）の入力周波数６０（フレーム／秒）の２倍速レートにあたる１２０（フレーム／秒）に基づいて、時系列順に時分割して出力するものである。
【００２４】
ここで、立体画像表示装置１に入力されるデータは、左眼用画像データＬＩ（ｎ）と右眼用画像データＲＩ（ｎ）との２つであり、それぞれ同期関係にある。そして、例えば、立体（３Ｄ）表示対応のＢＤ（Blu-ray Disc）やＤＶＤ（Digital Versatile Disc）から読み出されたり、デジタル放送により受信されて、この立体画像表示装置に並列に入力される。なお、ｎは、自然数であり、左眼用画像データＬＩ（ｎ）と右眼用画像データＲＩ（ｎ）のフレーム番号を示している。
【００２５】
また、この立体画像表示装置１の画像は、左眼用画像データＬＩ（ｎ）や、右眼用画像データＲＩ（ｎ）の切り替わりに同期するので、観察者は、１２０（フレーム／秒）で動作する液晶シャッタ付きの３Ｄメガネや、偏光フィルタ付きの３Ｄメガネを装着して左右の映像を見ることで、立体画像として視認することができる。
【００２６】
次に、図１に示した本発明の実施例１に係る立体画像表示装置１の動作について説明する。
【００２７】
まず、立体画像表示装置１に、ｎ番目の立体表示用の左眼用画像データＬＩ（ｎ）と右眼用画像データＲＩ（ｎ）の２つのデータが入力されると、左眼用画像データＬＩ（ｎ）と、右眼用画像データＲＩ（ｎ）とは、そのままデータ強調部２０ａに入力する。
【００２８】
一方、右眼用画像データＲＩ（ｎ）のみが遅延部１０に入力されて、遅延部１０により、１フレーム期間分遅延される。そのため、このタイミングでは、遅延部１０からは、１フレーム前、すなわち（ｎ−１）番目の右眼用画像データＲＩ（ｎ−１）が出力される。その結果、データ強調部２０ｂには、左眼用画像データＬＩ（ｎ）と、１フレーム期間分遅延された遅延右眼用画像データＲＩ（ｎ−１）とが入力される。
【００２９】
データ強調部２０ａは、後述するように、右眼用画像データＲＩ（ｎ）と、左眼用画像データＬＩ（ｎ）との差に基づいて、右眼用画像データＲＩ（ｎ）を強調して、右眼用画像強調データＲＥ（ｎ）として、時分割出力部３０に出力する。
【００３０】
データ強調部２０ｂは、後述するように、左眼用画像データＬＩ（ｎ）と、遅延部１０により１フレーム期間分遅延された遅延右眼用画像データＲＩ（ｎ−１）との差に基づいて、左眼用画像データＬＩ（ｎ）を強調して、左眼用画像強調データＬＥ（ｎ）として、時分割出力部３０に出力する。
【００３１】
図２は、本発明の実施例１に係る立体画像表示装置１に備えられたデータ強調部２０ｂの具体的な構成例を示す図である。なお、データ強調部２０ａ，２０ｂの構成は、後述する強調係数を除き同一の構成を有するので、ここでは、代表して、遅延右眼用画像データＲＩ（ｎ−１）が入力されるデータ強調部２０ｂの構成を説明する。
【００３２】
図２において、データ強調部２０ｂは、減算器２１ｂと、強調係数乗算器２２ｂと、加算器２３ｂとを有し、下記の（数式１）を用いて、左眼用画像強調データＬＥ（ｎ）を算出する。
【００３３】
ＬＥ（ｎ）＝ＬＩ（ｎ）＋Ｋ２（ＬＩ（ｎ）−ＲＩ（ｎ−１））・・・（数式１）
具体的には、データ強調部２０ｂは、現在フレームの左眼用画像データＬＩ（ｎ）と、遅延部１０からの１フレーム分だけ遅延された遅延右眼用画像データＲＩ（ｎ−１）とが入力されると、まず減算器２１ｂが左眼用画像データＬＩ（ｎ）から遅延右眼用画像データＲＩ（ｎ−１）を減算し、その減算結果（ＬＩ（ｎ）−ＲＩ（ｎ−１））を、強調係数乗算器２２ｂへ出力する。
【００３４】
強調係数乗算器２２ｂは、減算器２１ｂからの減算結果（ＬＩ（ｎ）−ＲＩ（ｎ−１））に、強調係数Ｋ２を乗じて、その乗算結果Ｋ２（ＬＩ（ｎ）−ＲＩ（ｎ−１））を、加算器２３ｂに出力する。
【００３５】
加算器２３ｂは、入力される左眼用画像データＬＩ（ｎ）と、乗算結果Ｋ２（ＬＩ（ｎ）−ＲＩ（ｎ−１））とを加算して、左眼用画像強調データＬＥ（ｎ）を得る。
【００３６】
そして、左眼用画像強調データＬＥ（ｎ）が、データ強調部２０ｂから出力され、時分割出力部３０に入力される。
【００３７】
また、図示はしないが、データ強調部２０ａも、図２と同様に、下記の（数式２）を用いて、右眼用画像強調データＲＥ（ｎ）を算出する。
【００３８】
ＲＥ（ｎ）＝ＲＩ（ｎ）＋Ｋ１（ＲＩ（ｎ）−ＬＩ（ｎ））・・・（数式２）
具体的には、データ強調部２０ａに、右側画像データＲＩ（ｎ）と、左眼用画像データＬＩ（ｎ）とが入力されると、右側画像データＲＩ（ｎ）と、左眼用画像データＬＩ（ｎ）との差に基づいて、強調係数Ｋ１により右側画像データＲＩ（ｎ）が強調されることにより、右眼用画像強調データＲＥ（ｎ）が、データ強調部２０ｂから出力され、時分割出力部３０に出力される。
【００３９】
なお、データ強調部２０ａ，２０ｂは、液晶応答の補償等をするものであるから、それぞれの強調係数Ｋ１，Ｋ２は、使用される液晶の応答特性によって、計算または実験に基づいて最適な値に設定する。また、液晶の応答特性は、データレベルや，周囲温度等に依存することが知られており、強調係数Ｋ１，Ｋ２をこれらデータレベルや周囲温度等に応じて適応的に調整する機能を備えることも有効である。ここでは、データ強調部２０ａ，２０ｂの具体的な強調係数Ｋ１，Ｋ２については特に限定せず、同じ値でも、異なる値でもどちらでもよい。
【００４０】
そして、時分割出力部３０は、データ強調部２０ａ，２０ｂから出力される右眼用画像強調データＲＥ（ｎ）、ＲＥ（ｎ＋１）、ＲＥ（ｎ＋２）、・・・・および左眼用画像強調データＬＥ（ｎ）、ＬＥ（ｎ＋１）、ＬＥ（ｎ＋２）、・・・が入力されてフレームメモリ３１に一時記憶し、それぞれの入力画像データの周波数である６０（フレーム／秒）の２倍のフレームレート（２倍速レート）にあたる１２０（フレーム／秒）により、ＬＥ（ｎ）、ＲＥ（ｎ）、ＬＥ（ｎ＋１）、ＲＥ（ｎ＋１）、ＬＥ（ｎ＋２）、ＲＥ（ｎ＋２）、・・・の時系列順に、時間軸強調処理がなされた画像データを交互に読み出すことで、立体表示を行う。
【００４１】
次に、本発明の実施例１に係る立体画像表示装置１によるメモリのスループットの改善効果について説明する。
【００４２】
図３は、比較のため、左眼用画像データと右眼用画像データを時分割処理後に時間軸強調処理を行う従来例によるメモリのスループットを示した図であり、図４は、本発明の実施例１に係る立体画像表示装置１におけるメモリのスループットを示した図である。
【００４３】
従来例では、左眼用画像データと右眼用画像データとを時分割処理した後に時間軸強調処理を行うが、本発明の実施例１に係る立体画像表示装置１によれば、予め右眼用画像データＲＩ（ｎ）、左眼用画像データＬＩ（ｎ）それぞれについて時間軸強調処理を施してから時分割処理を行う。
【００４４】
なお、計算に当たって、画像フォーマットは、ＨＤＴＶ標準の水平１９２０画素×１０８０画素、フレームレートは入力側が６０（フレーム／秒）、時分割処理後には１２０（フレーム／秒）、データビット長は８（ｂｉｔ）、ＲＧＢの３（ｃｈ）として計算する。なお、この画像フォーマットの条件は、後述の他の実施例でも同様である。
【００４５】
図３（従来例の場合）と、図４（実施例１の場合）とで、フレームレート同士を比較すると明らかとなるが、従来例の場合、時分割処理の後段に遅延部およびデータ強調部が設けられるので、遅延部への書き込みおよび遅延部からの読み出しのフレームレートがそれぞれ１２０（フレーム／秒）となり、スループットがそれぞれ５９７２（Ｍｂｉｔ／秒）となる。これに対し、本発明の実施例１の構成の場合、図１に示すように、時分割処理の前段に遅延部１０およびデータ強調部２０ａ，２０ｂが設けられているので、遅延部へ１０への書き込みおよび遅延部１０からの読み出しのフレームレートがそれぞれ６０（フレーム／秒）、スループットがそれぞれ２９８６（Ｍｂｉｔ／秒）と、従来例に比較して半分となる。
【００４６】
その結果、図３（従来例の場合）と、図４（実施例１の場合）とで、スループットの合計値で比較すると、従来例の場合、図３に示すように、２３８８８（Ｍｂｉｔ／秒）になるのに対し、本発明の実施例１の場合、図４に示すように、２０９０２（Ｍｂｉｔ／秒）となって、改善していることがわかる。
【００４７】
従って、本発明の実施例１に係る立体画像表示装置１によれば、右眼用画像データＲＩ（ｎ）を１フレーム期間遅延させて遅延右眼用画像データＲＩ（ｎ−１）として出力する遅延部１０と、右眼用画像データＲＩ（ｎ）と左眼用画像データＬＩ（ｎ）との差に基づいて右眼用画像データＲＩ（ｎ）を強調して右眼用画像強調データＲＥ（ｎ）として出力するデータ強調部２０ａと、左眼用画像データＬＩ（ｎ）と遅延部１０によって１フレーム期間遅延された遅延右眼用画像データＲＩ（ｎ−１）との差に基づいて左眼用画像データＬＩ（ｎ）を強調して左眼用画像強調データＬＥ（ｎ）として出力するデータ強調部２０ｂと、右眼用画像強調データＲＥ（ｎ）と、左眼用画像強調データＬＥ（ｎ）とをフレームメモリ３１に保持し、所定の周波数である１２０（フレーム／秒）に基づいて時系列順に時分割して出力する時分割出力部３０とを有するので、液晶の応答特性の遅れ等を補償するための時間軸強調処理を時分割処理前に行うことになり、時分割処理後に時間軸強調処理を行う場合と比べ、遅延部やフレームメモリの入出力端子数が少なくて済み、遅延部やフレームメモリとの間のデータ転送のスループットも低く抑えられ、配線面積も少なく抑えることができるので、簡易な装置構成で、かつデータ処理の装置負荷を小さくすることができる。
【００４８】
その結果、本発明の実施例１に係る立体画像表示装置１によれば、製造コストを抑え、しかもデータ処理の装置負担も小さく抑えた上で、液晶表示装置に代表される応答速度が遅い表示装置を用いた際の右眼用画像データと左眼用画像データとの間のクロストークを低減することができる。
【００４９】
なお、本発明の実施例１では、注目フレームｎの左眼用画像データＬＩ（ｎ）を強調した左眼用画像強調データＬＥ（ｎ）と、注目フレームｎの右眼用画像データＲＩ（ｎ）を強調した右眼用画像強調データＲＥ（ｎ）とをフレームメモリに書き込み、これらを交互に順に読み出すことで、最終的な時系列出力順を左眼用画像、右眼用画像の順で立体画像として表示する立体画像表示装置１を例に挙げて説明したが、これに限らない。
【００５０】
例えば、注目フレームｎの右眼用画像データＲＩ（ｎ）を強調した右眼用画像強調データＲＥ（ｎ）と、注目フレームｎの左眼用画像データＬＩ（ｎ）を強調した左眼用画像強調データＬＥ（ｎ）とをフレームメモリに書き込み、これらを交互に順に読み出すことで、時系列出力順を右眼用画像、左眼用画像の順序で立体画像として表示するようにしてもよい。このことは、後述する他の実施例２〜５でも同様である。
【００５１】
＜実施例２＞
次に、本発明の実施例２に係る立体画像表示装置２について説明する。
【００５２】
本発明の実施例２では、６０（フレーム／秒）で入力される左眼用画像データと右眼用画像データとに基づいて、最終的な時系列出力順が左眼用画像、右眼用画像の順で時分割処理して２４０（フレーム／秒）の立体画像として出力する立体画像表示装置を例に挙げて説明する。
【００５３】
図５は、本発明の実施例２に係る立体画像表示装置２の構成例を示すブロック図である。
【００５４】
図５に示すように、本発明の実施例２に係る立体画像表示装置２は、遅延部１０と、データ強調部２０aと、データ強調部２０ｂと、時分割出力部４０とを有する。なお、図１に示した本発明の実施例１に係る立体画像表示装置１と同一の構成要素には、同一符号を付して説明を省略する。
【００５５】
時分割出力部４０は、データ強調部２０ａから強調されて出力された右眼用画像強調データＲＥ（ｎ）と、データ強調部２０ｂから強調されて出力された左眼用画像強調データＬＥ（ｎ）と、データ強調部２０ａにより強調される前の右眼用画像データＲＩ（ｎ）と、データ強調部２０ｂにより強調される前の左眼用画像データＬＩ（ｎ）とが入力され、それらの画像データを保持し、所定の周波数である２４０（フレーム／秒）に基づいて、時分割して出力するように構成されている。
【００５６】
つまり、本発明の実施例１では、時間軸強調処理後の左眼用画像強調データと、右眼用画像強調データとを２倍速レートである１２０（フレーム／秒）により交互に切り替えて時系列順に出力したのに対し、本発明の実施例２では、左眼用画像データと右眼用画像データのそれぞれ時間軸強調処理を行う前後のデータを４倍速レートである２４０（フレーム／秒）で時分割、すなわち左眼用画像強調データＬＥ（ｎ）、左眼用画像データＬＩ（ｎ）、右眼用画像強調データＲＥ（ｎ）、右眼用画像データＲＩ（ｎ）の順序で時分割して表示するように変更したものである。
【００５７】
ここで、本発明の実施例２において、２４０（フレーム／秒）の４倍速レートで時分割処理する理由について簡単に説明しておく。
【００５８】
例えば、ＴＦＴ液晶等の液晶表示装置のようなホールド型表示装置の場合、画像データのＴＦＴ液晶への書き込み走査は、ライン順に行われ、ＴＦＴ液晶に書き込まれた画像データは、次の画像データの書き込みが行われるまで表示し続ける。つまり、シャッタ眼鏡を単純に左眼と右眼とで交互に開口したのでは、右眼用と左眼用の画像が混在する領域（クロストーク）が生じる。この問題を解決するためには、ＴＦＴ液晶への書き込み走査を可能な限り短時間とし、次のフレームの画像データの書き込みまでのホールド期間（垂直ブランキング期間に等しい）をとり、このホールド期間のタイミングに合わせてシャッタ眼鏡を開口する。
【００５９】
しかし、この方法を用いて、本発明の実施例１に係る立体画像表示装置１において、液晶応答の補償を行う場合、強調された画像も１フレーム期間保持することになるので、結果的に、本来の目標とする画像表示が安定している期間の確保については考慮されていないこととなる。
【００６０】
そこで、本発明の実施例２に係る立体画像表示装置２が備える時分割出力部４０では、時分割処理を、（１）時間軸強調処理がなされた左眼用画像強調データＬＥ（ｎ）、（２）時間軸強調処理がされていない左眼用画像データＬＩ（ｎ）、（３）時間軸強調処理がなされた右眼用画像強調データＲＥ（ｎ）、（４）時間軸強調処理がされていない右眼用画像データＲＩ（ｎ）の順序で時分割して繰り替えし出力して表示する。よって、液晶応答の補償のために時間軸強調処理がなされた左眼用画像強調データＬＥ（ｎ）および右眼用画像強調データＲＥ（ｎ）を、左眼用右の画像データと右眼用の画像データの切り替わり時だけに出力する一方、その後に時間軸強調処理がされていない左眼用画像データＬＩ（ｎ）および右眼用画像データＲＩ（ｎ）を出力することにより、安定期間を設けることが可能となり、それぞれ時間軸強調処理がされていない左眼用画像データと右眼用画像データのクロストークの更なる改善が可能となる。
【００６１】
図６は、本発明の実施例２に係る立体画像表示装置２が備える時分割出力部４０による液晶の応答特性を説明した図である。
【００６２】
図６に示すように、時間軸強調処理がなされた左眼用画像強調データＬＥ（ｎ）の出力後に、時間軸強調処理がされていない左眼用画像データＬＩ（ｎ）を出力することにより、左眼用画像データＬＩ（ｎ）の出力期間中が安定期間となると共に、時間軸強調処理がなされた右眼用画像強調データＲＥ（ｎ）の出力後に、時間軸強調処理がされていない右眼用画像データＲＩ（ｎ）を出力することにより、右眼用画像データＲＩ（ｎ）の出力期間中が安定期間となり、クロストークの更なる改善が可能となる。
【００６３】
次に、本発明の実施例１である立体画像表示装置１と同様に、本発明の実施例２に係る立体画像表示装置２によるメモリのスループットについて、時分割処理後に時間軸強調処理を行う従来例と比較して説明する。
【００６４】
図７は、左眼用画像データと右眼用画像データを時分割処理後に時間軸強調処理を行う従来例による２４０（フレーム／秒）表示でのメモリのスループットを示し、図８は、本発明の実施例２に係る立体画像表示装置２による２４０（フレーム／秒）表示でのメモリのスループットを示す図である。
【００６５】
ここで、従来例によるメモリのスループットの計算においては、フレームメモリへの書き込みは左眼用画像データと右眼用画像データの２種類、すなわち左右それぞれ１画面とし、フレームメモリからの読み出しは４倍速レートで左眼用画像データを２回、右眼用画像データを２回連続で読み出す動作として算出している。図７に示すように、スループット合計値で比較すると、左眼用画像データと右眼用画像データとを時分割処理後に時間軸強調処理を行う従来例による２４０（フレーム／秒）表示の場合、左眼用画像データＬＩ（ｎ）および右眼用画像データＲＩ（ｎ）のフレームメモリへの書き込みが６０（フレーム／秒）の場合、スループットが２９８６（Ｍｂｉｔ／秒）となり、フレームメモリからの読み出しが４倍速レートにあたる２４０（フレーム／秒）で１１９４４（Ｍｂｉｔ／秒）で、遅延部への書き込みおよび遅延部からの読み出しも２４０（フレーム／秒）で１１９４４（Ｍｂｉｔ／秒）になるので、合計４１８０４（Ｍｂｉｔ／秒）となる。
【００６６】
これに対し、図８に示すように、本発明の実施例２に係る立体画像表示装置２によれば、フレームメモリ４１への左眼用画像強調データＬＥ（ｎ）、左眼用画像データＬＩ（ｎ）、右眼用画像強調データＲＥ（ｎ）および右眼用画像データＲＩ（ｎ）それぞれの書き込みが６０（フレーム／秒）の場合、それぞれスループットが２９８６（Ｍｂｉｔ／秒）となり、フレームメモリ４１からの読み出しが４倍速レートにあたる２４０（フレーム／秒）で５９７２（Ｍｂｉｔ／秒）になり、遅延部１０への書き込みおよび遅延部１０からの読み出しも６０（フレーム／秒）で２９８６（Ｍｂｉｔ／秒）になるので、合計２９８６０（Ｍｂｉｔ／秒）となる。
【００６７】
このように、左眼用画像データと右眼用画像データを時分割処理後に時間軸強調処理を行う従来例による２４０（フレーム／秒）表示の場合、メモリのスループット合計値が４１８０４（Ｍｂｉｔ／秒）となるのに対し、本発明の実施例２に係る立体画像表示装置２の場合、メモリのスループット合計値が２９８６０（Ｍｂｉｔ／秒）となり、改善していることがわかる。
【００６８】
従って、本発明の実施例２に係る立体画像表示装置２によれば、本発明の実施例１に係る立体画像表示装置１と同様に、液晶の応答特性の遅れ等を補償するための時間軸強調処理を時分割処理前に行うことになり、時分割処理後に時間軸強調処理を行う場合と比べ、遅延部やフレームメモリの入出力端子数が少なくて済み、遅延部やフレームメモリとの間のデータ転送のスループットも低く抑えられ、配線面積も少なく抑えることができるので、簡易な装置構成で、かつデータ処理の装置負荷を小さくすることができる。
【００６９】
特に、本発明の実施例２に係る立体画像表示装置２によれば、時分割処理を、左眼用画像強調データＬＥ（ｎ）、左眼用画像データＬＩ（ｎ）、右眼用画像強調データＲＥ（ｎ）、右眼用画像データＲＩ（ｎ）の順序で時分割に繰り替え出力して表示するようにしたので、液晶応答の補償のために時間軸強調処理がなされた左眼用画像強調データＬＥ（ｎ）および右眼用画像強調データＲＥ（ｎ）を、左右の画像データの切替わり時だけに出力する一方、その後に左眼用画像データＬＩ（ｎ）および右眼用画像データＲＩ（ｎ）を出力することにより、安定期間を設けることが可能となり、本発明の実施例１である立体画像表示装置１と比較してもそれぞれ時間軸強調処理がされていない左眼用画像データと右眼用画像データのクロストークの更なる改善が可能となる。
【００７０】
＜実施例３＞
次に、本発明の実施例３に係る立体画像表示装置３について説明する。
【００７１】
図９は、本発明の実施例３に係る立体画像表示装置３の構成例を示すブロック図である。
【００７２】
図５に示した本発明の実施例２の立体画像表示装置２との相違点は、２種類の異なる強調係数を備えたデータ強調部を備えている点である。つまり、本発明の実施例２では、４倍速レート表示により時間軸強調された左眼用画像強調データＬＥ（ｎ）、時間軸強調されていない左眼用画像データＬＩ（ｎ）、時間軸強調された右眼用画像強調データＲＥ（ｎ）、時間軸強調されていない右眼用画像データＲＩ（ｎ）、の順序で画像データを切り替えて表示する。そして左眼用の画像データと右眼用の画像データの切り替わり時にのみ、時間軸強調処理がなされた左眼用画像強調データＬＥ（ｎ）および右眼用画像強調データＲＥ（ｎ）を出力し、その後に時間軸強調処理を行わない左眼用画像データＬＩ（ｎ）および右眼用画像データＲＩ（ｎ）を出力する安定期間を設けるものとして説明したが、液晶の応答特性によっては、左眼用の画像データと右眼用の画像データの切り替わり時のフレームのみで時間軸強調処理による液晶応答の補償をする構成では不十分な場合がある。
【００７３】
そこで、本発明に係る実施例３の立体画像表示装置３では、時間軸強調処理を行わない左眼用画像データＬＩ（ｎ）および右眼用画像データＲＩ（ｎ）を出力する安定期間を設ける代わりに、弱い強調係数により時間軸強調処理をかけることを特徴とする。
【００７４】
本発明の実施例３に係る立体画像表示装置３は、図９に示すように、遅延部１０と、データ強調部２０ａと、データ強調部２０ｂと、データ強調部２０ｃと、データ強調部２０ｄと、時分割出力部５０とを有する。ここで、遅延部１０と、データ強調部２０ａと、データ強調部２０ｂとは、実施例１，２である立体画像表示装置１，２が有する構成と同一であるので、説明を省略する。
【００７５】
図９に示すように、データ強調部２０ｃは、右眼用画像データＲＩ（ｎ）と、左眼用画像データＬＩ（ｎ）との差に基づいて、右眼用画像データＲＩ（ｎ）を、強調係数Ｋ１より強調ゲインの小さい強調係数Ｋ３により強調して、右眼用画像強調データＲＷ（ｎ）として出力する。
【００７６】
データ強調部２０ｄは、遅延部１０によって右眼用画像データＲＩ（ｎ）を１フレーム期間遅延された遅延右眼用画像データＲＩ（ｎ−１）と、左眼用画像データＬＩ（ｎ）との差に基づいて、左眼用画像データＬＩ（ｎ）を、強調係数Ｋ２より強調ゲインの小さい強調係数Ｋ４により強調して、左眼用画像強調データＬＷ（ｎ）として出力する。
【００７７】
時分割出力部５０は、データ強調部２０ａからの強調係数Ｋ１により強調された右眼用画像強調データＲＥ（ｎ）と、データ強調部２０ｂからの強調係数Ｋ２により強調された左眼用画像強調データＬＥ（ｎ）と、データ強調部２０ｃからの強調係数Ｋ３により強調された右眼用画像強調データＲＷ（ｎ）と、データ強調部２０ｄからの強調係数Ｋ４により強調された左眼用画像強調データＬＷ（ｎ）とが入力され、それらを保持する。そして、所定の周波数、すなわち２４０（フレーム／秒）に基づいて、時分割して出力し、左眼用画像データと右眼用画像データの切り替わり時にのみ、時間軸強調処理がなされた左眼用画像強調データＬＥ（ｎ）および右眼用画像強調データＲＥ（ｎ）を出力し、その後に弱い強調係数Ｋ３，Ｋ４により時間軸強調処理をした左眼用画像強調データＬＷ（ｎ）および右眼用画像強調データＲＷ（ｎ）を出力する。
【００７８】
つまり、本発明の実施例３に係る立体画像表示装置３では、時分割出力部５０は、（１）強調係数Ｋ１により時間軸強調処理がなされた左眼用画像強調データＬＥ（ｎ）、（２）左眼用画像強調データＬＥの強調係数Ｋ１より弱い強調係数Ｋ３により時間軸強調がなされた左眼用画像強調データＬＷ（ｎ）、（３）強調係数Ｋ２により時間軸強調処理がなされた右眼用画像強調データＲＥ（ｎ）、（４）右眼用画像強調データＬＥの強調係数Ｋ２よりより弱い強調係数Ｋ４により時間軸強調処理がなされた右眼用画像強調データＲＷ（ｎ）、・・・の順序で時分割に出力して表示する。
【００７９】
このため、本発明の実施例３の立体画像表示装置３では、強い強調係数Ｋ１，Ｋ２により時間軸強調処理がなされた画像強調データＬＥ（ｎ），ＲＥ（ｎ）による液晶応答の補償を左眼用画像データと右眼用画像データの切り替わり時だけに行い、その後、左右のデータが切り替わるまでの間は、弱い強調係数Ｋ３，Ｋ４により時間軸強調処理がなされた画像強調データＬＷ（ｎ），ＲＷ（ｎ）を表示することにより、画像強調データＬＷ（ｎ），ＲＷ（ｎ）の表示による実施例２で説明した安定期間に近い状態の準安定期間を設けることができる。
【００８０】
図１０は、本発明の実施例３に係る立体画像表示装置３が備える時分割出力部５０による応答特性を説明した図である。
【００８１】
図１０に示すように、強い強調係数Ｋ１により時間軸強調処理がなされた左眼用画像強調データＬＥ（ｎ）の出力後に、弱い強調係数Ｋ３により時間軸強調処理がなされた左眼用画像強調データＬＷ（ｎ）を出力することにより、左眼用画像強調データＬＷ（ｎ）の出力期間中が準安定期間となると共に、強い強調係数Ｋ２により時間軸強調処理がなされた右眼用画像強調データＲＥ（ｎ）の出力後に、弱い強調係数Ｋ４により時間軸強調処理がなされた右眼用画像強調データＲＷ（ｎ）を出力することにより、右眼用画像強調データＲＷ（ｎ）の出力期間中が準安定期間となり、クロストークの更なる改善が可能となる。
【００８２】
なお、本発明の実施例３に係る立体画像表示装置３によるメモリのスループットは、本発明の実施例２に係る立体画像表示装置２によるメモリのスループットと同等である。具体的には、左眼用画像データと右眼用画像データを時分割処理後に時間軸強調処理を行う従来例による２４０（フレーム／秒）表示の場合と比較すると、メモリのスループット合計値が４１８０４（Ｍｂｉｔ／秒）となるのに対し、本発明の実施例３に係る立体画像表示装置３の場合、本発明の実施例２に係る立体画像表示装置２と同様に、メモリのスループット合計値が２９８６０（Ｍｂｉｔ／秒）となり、改善することになる。
【００８３】
従って、本発明の実施例３に係る立体画像表示装置３によれば、実施例１，２の立体画像表示装置１，２と同様に、時分割処理の前に時間軸強調処理を行うので、遅延部やフレームメモリの入出力端子数が少なくて済み、遅延部やフレームメモリとの間のデータ転送のスループットも低く抑えられ、配線面積も少なく抑えることができるので、簡易な装置構成で、かつデータ処理の装置負荷を小さくすることができる。
【００８４】
特に、本発明の実施例３に係る立体画像表示装置３では、強い強調係数Ｋ１，Ｋ２により時間軸強調処理がなされた画像強調データＬＥ（ｎ），ＲＥ（ｎ）により液晶の応答特性の補償を切り替わり時だけに行い、その後、左眼用画像データと右眼用画像データが切り替わるまでの間は、弱い強調係数Ｋ３，Ｋ４により時間軸強調処理がなされた画像強調データＬＷ（ｎ），ＲＷ（ｎ）を表示する準安定期間を設ける構成である。よって、立体画像表示装置の特性によっては、左眼用画像データと右眼用画像データの切り替わり時のみではデータ強調部２０ａ，２０ｂによる液晶の応答特性の補償では不十分な場合でも、弱い強調係数Ｋ３，Ｋ４のデータ強調部２０ｃ，２０ｄにより対応することができる。
【００８５】
＜実施例４＞
本発明に係る実施例１〜３の立体画像表示装置１〜３では、時分割方式による立体画像表示において、シャッタ眼鏡によって間欠表示になってしまうため、シャッタ眼鏡の間欠周期が極端に低くなると、フリッカ妨害が生じる場合がある。
【００８６】
フリッカ妨害の発生には、明るさ等の環境や個人差があり、一義的に定まらない。通常の映像技術者は、例えば、４８〜５０（フレーム／秒）のフレームレート（間欠周期）でフリッカ妨害を感じるものの、許容レベルであると言われている。また、６０（フレーム／秒）のフレームレートになると、ほとんど感じない問題のないレベルか、わずかに感じるレベルと言われている。そして、７５（フレーム／秒）のフレームレートになると、全く感じないレベル、すなわち検知限と言われている。ただし、フリッカ妨害の発生には、個人差もあり、明るさ等の環境によっても変化する場合もある。
【００８７】
このように、一般的に、フレームレートが６０（フレーム／秒）以上では、観察者はフリッカをほとんど感じなくなる。一方、６０（フレーム／秒）以下ではフレームレートが低くなるに従い、フリッカ妨害の程度が大きくなる。特に、フィルム映像の多くは、２４（フレーム／秒）のフレームレートで製作されているが、この周期で間欠表示させると、観察者は非常に大きなフリッカを知覚する。
【００８８】
そこで、本発明の実施例４では、入力フレームレートが十分に低い場合、すなわち第１の所定値（ここでは、例えば、２４（フレーム／秒）とするが、この値は一例である。）以下の場合に、フリッカ妨害が生じない、もしくは実用上問題ないフレームレートである第２の所定値（ここでは、例えば、４８（フレーム／秒）とするが、この値は一例である。）に引き上げた後に、時間軸強調処理をし、時分割して立体表示処理を行うことにより、９６（フレーム／秒）のフレームレートで立体画像を出力する立体画像表示装置４を例に挙げて説明する。なお、フレームレートに引き上げるためのフレームレート変換の具体的方法は、本実施例に限定せず、また本発明の実施例１〜３のいずれの方法と組み合わせることも可能である。
【００８９】
図１１は、本発明の実施例４に係る立体画像表示装置４の構成例を示すブロック図である。
【００９０】
図１１に示すように、本発明の実施例４に係る立体画像表示装置４は、図１に示す実施例１の立体画像表示装置１の前段に、２４（フレーム／秒）で入力する左眼用画像データＬＩ（ｎ）、右眼用画像データＲＩ（ｎ）それぞれのフレームレートを４８（フレーム／秒）に変換するフレームレート変換処理部６０ａ，６０ｂを設けたものである。
【００９１】
ここで、フレームレート変換処理部６０ａ，６０ｂにおける、フレームレート変換の手段としては、単純に繰り返し画像データを出力するプルダウン処理、もしくは画像データの動きベクトルを検出して動き補償したフレームを挿入する動き補償型フレームレート変換処理等の２種類が代表的であり、これらの処理に限定されるものではない。
【００９２】
そして、本発明の実施例４に係る立体画像表示装置４は、本発明の実施例１に係る立体画像表示装置１と同様に、フレームレート変換処理部６０ａ，６０ｂにより２４（フレーム／秒）から４８（フレーム／秒）に変換された右眼用画像データＲＩ’（ｎ）を、遅延部１０が遅延をし、右眼用画像データＲＩ’（ｎ）および左眼用画像データＬＩ’（ｎ）を、データ強調部２０ａ、データ強調部２０ｂにより強調して、４８（フレーム／秒）の右眼用画像強調データＲＥ’（ｎ）および左眼用画像強調データＬＥ’（ｎ）として、時分割出力部３０へ出力する。
【００９３】
時分割出力部３０では、データ強調部２０ａ、データ強調部２０ｂから４８（フレーム／秒）で出力される右眼用画像強調データＲＥ’（ｎ）および左眼用画像強調データＬＥ’（ｎ）が入力されてフレームメモリ３１に一時保存し、本発明の実施例１に係る立体画像表示装置１が備える時分割出力部３０と同様に、左眼用画像強調データＬＥ’（ｎ）、右眼用画像強調データＲＥ’（ｎ）、・・・の順序で時分割して出力する。
【００９４】
ただし、本発明の実施例４に係る立体画像表示装置４では、時分割出力部３０に入力される右眼用画像強調データＲＥ’（ｎ）および左眼用画像強調データＬＥ’が、４８（フレーム／秒）なので、出力する際は、その２倍速レートにあたる９６（フレーム／秒）のフレームレートとなる。
【００９５】
従って、本発明の実施例４に係る立体画像表示装置４によれば、本発明に係る実施例１〜３である立体画像表示装置１〜３と同様に、時系列変換処理の前に時間軸強調処理を行うので、遅延部１０やフレームメモリ３１の入出力端子数が少なくて済み、遅延部１０やフレームメモリ３１との間のデータ転送のスループットも低く抑えられ、配線面積も少なく抑えることができるので、簡易な装置構成で、かつデータ処理の装置負荷を小さくすることができる。
【００９６】
特に、本発明の実施例４に係る立体画像表示装置４では、図１１に示すように、２４（フレーム／秒）で入力する左眼用画像データＬＩ、右眼用画像データＲＩそれぞれのフレームレートを、４８（フレーム／秒）に変換を行うフレームレート変換処理部６０ａ，６０ｂを、データ強調部２０ａ，２０ｂや遅延部１０の前段に設けている。そのため、時分割出力部３０から右眼用画像強調データＲＥ’（ｎ）および左眼用画像強調データＬＥ’（ｎ）を出力する際は、その２倍速レートの９６（フレーム／秒）となるので、間欠周期が６０（フレーム／秒）以上となり、観察者はフリッカをほとんど知覚しないようにすることができる。
【００９７】
＜実施例５＞
本発明の実施例４では、入力フレームレートが第１の所定値（例えば、２４（フレーム／秒）。）以下の場合に、フレームレートの変換処理により、フリッカ妨害が生じない、もしくは実用上問題ないフレームレートである第２の所定値（例えば４８（フレーム／秒）。）に引き上げた後に、時間軸強調処理をして、時系列変換処理を行うことにより、９６（フレーム／秒）のフレームレートで立体画像を出力する立体画像表示装置４を例に挙げて説明した。
【００９８】
本発明の実施例５では、フレームメモリへの書き込みを低い入力フレームレート（２４（フレーム／秒））のまま行い、フレームレートの変換処理を、データ強調部２０ａ，２０ｂの後段であるフレームメモリからの読み出しの際に、プルダウン処理等しながら読み出すことによりフレームレートを変換して、９６（フレーム／秒）のフレームレートで立体画像を出力する立体画像表示装置５を例に挙げて説明する。
【００９９】
例えば、本発明に係る実施例１である立体画像表示装置１では、最終的に時分割出力部３０から時分割で出力される画像強調データは、左眼用画像強調データＬＥ（ｎ）、右眼用画像強調データＲＥ（ｎ）、次のフレームの左眼用画像強調データＬＥ（ｎ＋１）、右眼用画像強調データＲＥ（ｎ＋１）、さらに次のフレームの左眼用画像強調データＬＥ（ｎ＋２）、・・・の順序となる。よって、時分割出力する際の左眼用画像強調データＬＥ（ｎ）の前のフレームは、１フレーム前の右眼用画像強調データＲＥ（ｎ−１）であるので、予め行う時間軸強調処理としては、１フレーム前の右眼用画像強調データＲＥ（ｎ−１）との間で行えばよかった。
【０１００】
しかし、本発明の実施例５に係る立体画像表示装置５では、時分割出力部において、フレームメモリからプルダウン処理しながら時分割で読み出す、すなわち同一画像フレームを繰り返し読み出すことによりフレームレートを向上させる。
【０１０１】
本発明の実施例５に係る立体画像表示装置５では、右眼用画像データＲＩ（ｎ）と同様に、予め左眼用画像データＬＩ（ｎ）に対しても、同一フレームｎの右眼用画像データＲＩ（ｎ）との差に基づいて強調データを形成するデータ強調部２０ｅを設けたことを特徴とする。
【０１０２】
図１２は、本発明の実施例５に係る立体画像表示装置５の構成例を示すブロック図である。
【０１０３】
図１２において、本発明の実施例５に係る立体画像表示装置５は、遅延部１０と、データ強調部２０ａと、データ強調部２０ｂと、データ強調部２０ｅと、時分割出力部７０とを有する。
【０１０４】
なお、これらの構成のうち、遅延部１０と、データ強調部２０ａと、データ強調部２０ｂとは、本発明に係る実施例１である立体画像表示装置１が備える構成と同一であるので説明を省略する。
【０１０５】
データ強調部２０ｅには、データ強調部２０ａと同一のタイミングで右眼用画像データＲＩ（ｎ）と、左眼用画像データＬＩ（ｎ）とが入力される。そして、それらの差（ＬＩ（ｎ）−ＲＩ（ｎ））に対し強調係数Ｋ５を乗算し、乗算結果を左眼用画像データＬＩ（ｎ）に加算することにより、左眼用画像データＬＩ（ｎ）を強調し、左眼用画像強調データＬＥ”（ｎ）として時分割出力部７０へ出力する。なお、この強調係数Ｋ５は、強調係数Ｋ２や、強調係数Ｋ４より、小さい値、あるいは大きい値、さらには同じ値としてもよい。
【０１０６】
そして、時分割出力部７０は、２４（フレーム／秒）のフレームレートで入力すされる画像データの入力フレームレートが低いことが原因で発生するフリッカ等を防止するため、フレームメモリ７１に保持されている、左眼用画像強調データＬＥ（ｎ）、右眼用画像強調データＲＥ（ｎ）、左眼用画像強調データＬＥ”（ｎ）を、順に時分割で出力する。
【０１０７】
図１３は、本発明の実施例５に係る立体画像表示装置５が備える時分割出力部７０における時分割処理後の状態を示す図である。
【０１０８】
ここでは、時分割出力部７０への入力フレームレートを２４（フレーム／秒）、左眼用画像データと右眼用画像データの切り替え周期を４８（フレーム／秒）、フレームメモリからのデータの読み出し周期を９６（フレーム／秒）とする。
【０１０９】
本発明の実施例５に係る立体画像表示装置５が備える時分割出力部７０は、プルダウン処理しながらの時分割処理により、同一フレームｎが入力されるタイミングに対応して、左眼用画像強調データＬＥ（ｎ）、右眼用画像強調データＲＥ（ｎ）、左眼用画像強調データＬＥ”（ｎ）、右眼用画像強調データＲＥ（ｎ）、続いて、次のフレーム（ｎ＋１）入力されるタイミングに対応して、左眼用画像強調データＬＥ（ｎ＋１）、右眼用画像強調データＲＥ（ｎ＋１）、左眼用画像強調データＬＥ”（ｎ＋１）、右眼用画像強調データＲＥ（ｎ＋１）、・・・の順序で、各画像データＬＩ（ｎ）をプルダウン処理、すなわち繰り返し（ここでは、便宜上２回とする。）同じフレームを読み出すことにより、４倍速レートにあたる９６（フレーム／秒）のフレームレートで、時分割して出力する。
【０１１０】
つまり、本発明の実施例５に係る立体画像表示装置５が備える時分割出力部７０では、右眼用画像強調データＲＥ（ｎ）は繰り返し同じデータが２度出力されるのに対し、左眼用画像強調データＬＥ（ｎ）は、フレームの切り替わり目の１回目の出力の際はその左眼用画像強調データＬＥ（ｎ）が出力されるのに対し、２回目の繰り返しデータが出力されるタイミングでは、左眼用画像強調データＬＥ（ｎ）でなく、左眼用画像強調データＬＥ”（ｎ）が出力される。
【０１１１】
その結果、図１３に示すように、本発明の実施例５に係る立体画像表示装置５に、それぞれ２４（フレーム／秒）にて右眼用画像強調データＲＥ（１），ＲＥ（２），・・・、左眼用画像強調データＬＥ（１），ＬＥ（２），・・・が入力された場合、時分割出力部７０からは、４倍速レートにあたる９６（フレーム／秒）のフレームレートで時分割して、ＬＥ（１）、ＲＥ（１）、ＬＥ”（１）、ＲＥ（１）、ＬＥ（２）、ＲＥ（２）、ＬＥ”（２）、ＲＥ（２）、・・・の順序で時系列順に画像強調データが出力されることになる。
【０１１２】
これにより、本発明の実施例５に係る立体画像表示装置５によれば、フレームメモリ７１に保持されている、左眼用画像強調データＬＥ（ｎ）、右眼用画像強調データＲＥ（ｎ）、左眼用画像強調データＬＥ”（ｎ）を、４倍速レートにあたる９６（フレーム／秒）のフレームレートに変換して時分割して出力するので、２４（フレーム／秒）で入力される画像データの入力フレームレートが低いことが原因で発生するフリッカ等を防止することができる。
【０１１３】
また、本発明の実施例５に係る立体画像表示装置５によれば、時分割出力部７０において、フレームメモリ７１からプルダウン処理しながら時分割して読み出す、すなわち同一画像フレームを繰り返し読み出す際、２回目に読み出す左眼用画像強調データＬＥ”（ｎ）の前の画像データが、同一フレームｎの右眼用画像強調データＲＥ（ｎ）と同一の画像データＲ（ｎ），Ｌ（ｎ）に基づくものの、異なる強調係数Ｋ５により時間軸強調処理された右眼用画像強調データＲＥ（ｎ）になるので、より自然な映像を観察者に提供することができる。
【０１１４】
次に、このように構成することにより、メモリのスループットがどのように改善されるかを、時分割処理後に時間軸強調を行う従来例と比較して説明する。
【０１１５】
図１４は、左眼用画像データと右眼用画像データを時分割処理後に時間軸強調処理を行う従来例による２４０（フレーム／秒）のフレームレート表示でのメモリのスループットを示した図であり、図１５は、本発明の実施例５である立体画像表示装置５による時分割出力部７０にてフレームメモリ７１からプルダウン処理しながら時分割して読み出す場合のメモリのスループットを示した図である。
【０１１６】
図１４に示すように、スループット合計値で比較すると、左眼用画像データＬＩ（ｎ）と右眼用画像データＲＩ（ｎ）を時分割処理後に時間軸強調処理を行う従来例の場合、左眼用画像データＬＩ（ｎ）をよび右眼用画像データのフレームメモリへの書き込みが２４（フレーム／秒）で、スループットが１１９４（Ｍｂｉｔ／秒）となる。そして、フレームメモリからの読み出しと、遅延部への書き込みおよび遅延部からの読み出しが共に、９６（フレーム／秒）で、スループットが４７７８（Ｍｂｉｔ／秒）となるので、合計スループットが１６７２２（Ｍｂｉｔ／秒）となる。
【０１１７】
これに対し、図１５に示すように、本発明の実施例５に係る立体画像表示装置５の場合、フレームメモリ７１への左眼用画像強調データＬＥ（ｎ）、右眼用画像強調データＲＥ（ｎ）、左眼用画像強調データＬＥ”（ｎ）それぞれの書き込みが２４（フレーム／秒）の場合、それぞれスループットが１１９４（Ｍｂｉｔ／秒）となる。そして、フレームメモリ７１からの読み出しが９６（フレーム／秒）の４７７８（Ｍｂｉｔ／秒）になり、遅延部１０への書き込みおよび遅延部１０からの読み出しが２４（フレーム／秒）で１１９４（Ｍｂｉｔ／秒）になるので、合計１０７４８（Ｍｂｉｔ／秒）となる。
【０１１８】
このように、左眼用画像データと右眼用画像データを時分割処理後に時間軸強調処理を行う従来例の場合、メモリのスループット合計値が１６７２２（Ｍｂｉｔ／秒）となるのに対し、本発明の実施例５に係る立体画像表示装置５によれば、メモリのスループット合計値が１０７４８（Ｍｂｉｔ／秒）となり、改善していることがわかる。
【０１１９】
従って、本発明の実施例５の立体画像表示装置５によれば、本発明に係る実施例１〜４である立体画像表示装置１〜４と同様に、時分割処理の前に時間軸強調処理を行うので、遅延部１０やフレームメモリ７１の入出力端子数が少なくて済み、遅延部１０やフレームメモリ７１との間のデータ転送のスループットも低く抑えられ、配線面積も少なく抑えることができるので、簡易な装置構成で、かつデータ処理の装置負荷を小さくすることができる。
【０１２０】
特に、通常、フレームレート変換処理の場合、プルダウン処理または動き補償処理のいずれにしても大容量のフレームメモリが必要になるが、本発明の実施例５に係る立体画像表示装置５によれば、左眼用画像強調データＬＥ”の入力を追加するだけでよいので、フレームメモリ７１の容量を削減することができる。
【０１２１】
また、本発明の実施例５に係る立体画像表示装置５によれば、時分割出力部７０はフレームメモリ７１に保持されている、左眼用画像強調データＬＥ（ｎ）、右眼用画像強調データＲＥ（ｎ）、左眼用画像強調データＬＥ”（ｎ）を、入力フレームレートの２４（フレーム／秒）に対して、４倍速レートにたる９６（フレーム／秒）のフレームレートに変換して時分割で出力するので、画像データの入力フレームレートの２４（フレーム／秒）が低いことが原因で発生するフリッカ等を防止することができる。
【０１２２】
さらに、本発明の実施例５に係る立体画像表示装置５によれば、時分割出力部７０において、フレームメモリ７１からプルダウン処理しながら時分割して読み出し、すなわち同一画像フレームを繰り返し読み出すようにした場合、２回目に読み出す左眼用画像強調データＬＥ”（ｎ）の前の画像データが、同一フレームｎの右眼用画像強調データＲＥ（ｎ）と同一の画像データＲ（ｎ），Ｌ（ｎ）に基づくものの、異なる強調係数Ｋ５により時間軸強調処理がなされた右眼用画像強調データになるので、より自然な映像を観察者に提供することができる。
【０１２３】
なお、本発明の実施例５に係る立体画像表示装置５では、図１に示す本発明の実施例１に係る立体画像表示装置１に適用して説明したが、図５に示す本発明の実施例２に係る立体画像表示装置２に適応してもよい。その場合には、フレームメモリ４１へ同一フレームｎのデータにより時間軸強調処理をした左眼用画像強調データＬＥ”（ｎ）を出力する構成とすればよい。また図９に示す本発明の実施例３に係る立体画像表示装置３に適応してもよい。その場合には、フレームメモリ５１へ同一フレームｎのデータにより時間軸強調処理をした左眼用画像強調データＬＥ”（ｎ）と共に、その左眼用画像強調データＬＥ”（ｎ）よりも強調度合いが小さい左眼用画像強調データＬＷ’（ｎ）を与える構成で実現できる。
【０１２４】
なお、本発明に係る実施例１〜５の説明においては、左眼および右眼の画像強調データの時分割出力の順序を、左眼、右眼、左眼、・・・としたが、シャッタ眼鏡との組み合わせおよび同期がとれていれば、これに限らず、右眼、左眼、右眼、・・・という逆の順で時分割出力するようにしても勿論よい。
【０１２５】
また、本発明に係る実施例１〜５の説明では、入力される右眼用画像データＲＩ（ｎ）と、左眼用画像データＬＩ（ｎ）とが、並列に与えられることを前提として説明したが、本発明では、これに限らない、つまり、立体画像表示用の右眼用画像データＲＩ（ｎ）と左眼用画像データＬＩ（ｎ）を伝送するための各種フォーマットがあることは周知の通りであり、これらフォーマットからのデコード手段については特に限定しないし、また、右眼用画像データＲＩ（ｎ）と左眼用画像データＬＩ（ｎ）とが並列に与えられず、入力された右眼用画像データＲＩ（ｎ）を元に左眼用画像データＬＩ（ｎ）を作成したり、あるいはその逆に入力された左眼用画像データＬＩ（ｎ）を元に右眼用画像データＲＩ（ｎ）を作成するような構成でも、さらには通常の２次元表示用の画像データを元に右眼用画像データＲＩ（ｎ）と左眼用画像データＬＩ（ｎ）の双方を作成し、その後本発明に係る実施例１〜５のように時間軸強調処理を行って時分割処理をして出力するような構成でも勿論よい。
【０１２６】
また、本発明に係る実施例１〜５の説明では、立体画像表示装置をハードウエア的に構成して説明したが、本発明では、これに限らず、前期実施例１〜５の各立体画像表示装置の機能をプログラミングしたプログラムと、そのプログラムを実行するＣＰＵ等とにより、ソフトウエア的に実行するようにしても勿論よい。
【０１２７】
また、本発明に係る実施例１〜５の説明では、液晶の立体画像表示装置を一例として説明したが、本発明は、これに限らず、有機ＥＬや、プラズマ、ブラウン管、ＳＥＤ等のその他の立体画像表示装置についても適用可能である。
【符号の説明】
【０１２８】
１〜５…立体画像表示装置
１０…遅延部
２０ａ…データ強調部
２０ｂ…データ強調部
２０ｃ…データ強調部
２０ｄ…データ強調部
２０ｅ…データ強調部
２１ｂ…減算器
２２ｂ…強調係数乗算器
２３ｂ…加算器
３０，４０，５０，７０…時分割出力部
３１，４１，５１，７１…フレームメモリ
６０ａ，６０ｂ…フレームレート変換処理部
【図１】
2011205186.tif 000003
【図２】
2011205186.tif 000004
【図３】
2011205186.tif 000005
【図４】
2011205186.tif 000006
【図５】
2011205186.tif 000007
【図６】
2011205186.tif 000008
【図７】
2011205186.tif 000009
【図８】
2011205186.tif 000010
【図９】
2011205186.tif 000011
【図１０】
2011205186.tif 000012
【図１１】
2011205186.tif 000013
【図１２】
2011205186.tif 000014
【図１３】
2011205186.tif 000015
【図１４】
2011205186.tif 000016
【図１５】
2011205186.tif 000017